(57)【要約】  喫煙品用パッケージ（１）は外方シェル（３）を含む。外方シェルは互いに対向する大きなフロントパネル（２）及び大きなバックパネル（４）と、互いに対向する二つの小さなサイドパネル（６、８）と、対向する第１端部および第２端部とを含む。第１端部は開口し、第二端部は閉じている。このパッケージはさらに内部トレイ（５）を含む。内部トレイは外方シェル内に配置され、内部トレイは外方シェルの第１開口端から抜け出るように外方シェルの第１端部および第２端部の間の長手方向軸に沿って摺動可能である。内部トレイの内部には開口部（１９）が形成されている。このパッケージはさらに舌部（２４）を含み、舌部は内部トレイの内部に配置され、前記開口部より幅が広い頭部（２４）と、外方シェルの第２端部にあるいはその近くで一端が外方シェルに連結された胴体部（２３）とを有する。胴体部は開口部を通って延び、頭部と接合している。開口部と舌部は停止機構となり、内部トレイが外方シェルの第１端部から、予め定められた限度を越えて引き出されないようにするものである。【選択図】図１
2012517384.tif 000002
【特許請求の範囲】
【請求項１】
互いに対向する大きなフロントパネルと大きなバックパネルと、
二つの互いに対向する小さなサイドパネルと、
対向する開口した第１端部と閉じた第２端部とを含む外方シェルと、
外方シェル内に配置され、外方シェルの第１開口端部から抜け出るように、外方シェルの第１端部および第２端部の間の長手方向軸に沿って摺動可能であり、内部に開口部を有する内部トレイと、
前記開口部より幅が広い頭部と、前記開口部を通って一端が外方シェルに装着された胴体部を有する舌部とを含み、
前記開口部と舌部が、内部トレイが外方シェルの第１端部から、あらかじめ定められた制限を越えて引き出されることを防ぐ停止機構を供することを特徴とする喫煙品用パッケージ。  
【請求項２】
前記内部トレイが、外方シェルの大きなバックパネルと隣接し、かつ平行な基部を含み、前記開口部が前記基部に形成されていることを特徴とする請求項１記載のパッケージ。
【請求項３】
前記舌部が実質的にＴ字型であることを特徴とする請求項１または２記載のパッケージ。
【請求項４】
前記胴体部が外方シェルの第２端部に接着されていることを特徴とする請求項１乃至３いずれか１項記載のパッケージ。
【請求項５】
前記胴体部が外方シェルの第２端部に対して平行に折り曲げられ、この第２端部に接着されている端部領域を含むことを特徴とする請求項４記載のパッケージ。
【請求項６】
前記開口部が外方シェルの互いに向かいあう小さなサイドパネルの間の中央に配置されていることを特徴とする請求項１乃至５いずれか１項記載のパッケージ。
【請求項７】
パッケージが閉じている状態で、前記開口部が、前記外方シェルの第２端部に隣接している前記内部トレイの基部の底縁部から延びていることを特徴とする請求項１乃至６いずれか１項記載のパッケージ。
【請求項８】
前記外方シェルは外方シェルの開口した第１端部から下方へと大きなバックパネル４の途中まで延びている凹部を含むことを特徴とする請求項１乃至７いずれか１項記載のパッケージ。
【請求項９】
前記外方シェルの凹部は大きなバックパネルの幅を超えて、互いに向きあっている小さなサイドパネルまで延びていることを特徴とする請求項８記載のパッケージ。
【請求項１０】
喫煙品を収容する請求項１乃至９いずれか１項記載のパッケージ。
【請求項１１】
請求項１乃至１０いずれか１項記載のパッケージを形成するための一つ以上のブランクセット。
【請求項１２】
添付の図面を参照し本明細書中で説明した喫煙品用パッケージ。
【請求項１３】
図６ａ、図６ｂおよび図６ｃを参照し本明細書中で説明したブランクセット。
【請求項１４】
互いに対向する大きなフロントパネルと大きなバックパネルとを供するために折り曲げ線に沿って折り曲げ可能なパネル部と、二つの互いに対向する小さなサイドパネル及び対向する開口した第１端部と閉じた第２端部を供するために折り曲げ線で折り曲げ可能なパネル部を含む、外方シェルを形成する折り曲げ可能な第１のフラットブランクと、
外方シェルの第１端部と第２端部の間で外方シェルの長手方向軸に沿って摺動可能な内部トレイを供するために折り曲げ線に沿って折り曲げ可能で、かつ内部に開口部を有する第２のフラットブランクと、
前記開口部より幅が広い頭部と、外方シェルと接合し第２ブランクの開口部内で摺動可能な幅を持つ胴体部を有する舌部を形成する第３ブランクと
を含み、前記開口部と舌部が、内部トレイが外方シェルの第１端部から、あらかじめ定められた制限を越えて引き出されることを防ぐ停止機構を供することを特徴とするパッケージを形成するためのブランク。
【請求項１５】
請求項１記載のパッケージを形成するために請求項１４記載のブランクを折り曲げることによってパッケージを製造する方法。
【発明の詳細な説明】
【技術分野】
【０００１】
本発明は、紙巻きタバコのような喫煙品用のパッケージに関する。特に、本発明は喫煙品用のスライドシェル式パッケージに関する。
【背景技術】
【０００２】
外方シェルと内部スライドを有する紙巻きタバコ用のパッケージはよく知られており、例えば下記の特許文献に記載されている。これらのパッケージは、外方シェルから内部スライドを引っ張ることにより、内部スライドの中身、通常は紙巻きタバコを、露出させて取り出す。これら従来のパッケージのいくつかは、外方シェルから内部インナーが完全に離れてしまわないようにするためのある種の機構を含む。
【先行技術文献】
【特許文献】
【０００３】
【特許文献１】独国特許第２９６１９２３３号
【特許文献２】国際公開第００／４５６５４号
【特許文献３】米国特許第３０９６８７８号
【特許文献４】米国特許第３１０７００８号
【特許文献５】米国特許第３８２８２９３号
【特許文献６】英国特許第３３５８３８号
【特許文献７】スイス国特許第３７０６９９号
【発明の概要】
【発明が解決しようとする課題】
【０００４】
本発明の目的は、従来のものよりもより使いやすく、および／またはより頑丈なシェルとスライドの組み合わせを提供することにある。
【０００５】
喫煙品用パッケージは外方シェルを含む。外方シェルは互いに対向する大きなフロントパネル及び大きなバックパネル、二つの互いに対向する小さなサイドパネル、ならびに互いに対向する第１端部と第２端部を含む。第１端部は開いており、第２端部は閉じている。パッケージは開口部が設けられた内部トレイをさらに含む。内部トレイは外方シェル内に配置され、内部トレイは外方シェルの第１開口端から抜け出るように外方シェルの第１端部および第２端部の間の長手方向軸に沿って摺動可能である。このパッケージはさらに舌部を含み、舌部は内部トレイの内部に配置され、前記開口部より幅が広い頭部と、外方シェルの第２端部にあるいはその近くで一端が外方シェルに連結された胴体部とを有する。胴体部は開口部を通って延び、頭部と接合している。開口部と舌部は停止機構となり、内部トレイが外方シェルの第１端部から、予め定められた限度を越えて引き出されないようにするものである。
【０００６】
このような停止機構は頑丈で信頼性が高く確実であり、製造するには便利で効果的である。
【０００７】
ある一つの態様では、舌部は実質的にＴ字型である（その他の態様では、マッシュルーム型などを含んでもよい）。その軸の部分は外方シェルの第２端部に平行に折り畳まれ、この第２端部に接着された端部領域を含む。開口部は外方シェルの対向する小さい方のパネルの間の中央に配置され、内部トレイの基部の底縁部から延伸し、パッケージが閉じたときに、外方シェルの第２端部の隣に位置する。
【０００８】
ある１つの態様では、外方シェルは凹部を含み、その凹部は外方シェルの開口した第１端部から大きなバックパネルの途中まで延びている。外方シェルの凹部は大きなバックパネルの幅を超えて、互いに対向する小さなサイドパネルまで延びている。このような外方パネルの構造によって、内部トレイの一部が露出される。これにより、消費者は外方シェルから内部トレイを掴んで引き出すことができ、パッケージの中身（例えば、紙巻きタバコのような喫煙品）を手にすることができる。
【０００９】
ある１つの態様では、従来のヒンジ式蓋付きパッケージに比べて、このパッケージは相対的に薄い（正面から背面までの計測した奥行き）。とても薄い従来のヒンジ式蓋付きパッケージは、蓋を開ける際に支障が発生するため、このような薄いパッケージにおいて外方シェルと内部トレイの組み合わせは有益である。
【００１０】
本発明のその他の態様において、このようなパッケージを形成するための一組のブランクを提供する。
【図面の簡単な説明】
【００１１】
あくまでの例示のみを目的とし、以下の図面を参照し本発明の態様を説明する。    
【００１２】
【図１】本発明のひとつの態様によるスライドシェル式パッケージの閉じた状態の後面斜視図である。
【図２ａ】図１のパッケージの外方シェルの後面斜視図である。
【図２ｂ】図１のパッケージの外方シェルの前面斜視図である。
【図３ａ】図１のパッケージの内部トレイの前面斜視図である。
【図３ｂ】図１のパッケージの内部トレイの後面斜視図である。
【図４ａ】内部トレイが外方シェルから不完全に引き出された図１のパッケージの後面斜視図である。
【図４ｂ】内部トレイが外方シェルから不完全に引き出された図１のパッケージの前面斜視図である。
【図５ａ】図１のパッケージが閉じた状態であり、外方シェルを仮想線で示した略式前面図である。
【図５ｂ】図１のパッケージが開いた状態であり、外方シェルを仮想線で示した略式前面図である。
【図６ａ】図１、３ａ、３ｂ、４ａ、４ｂ、５ａおよび５ｂに図示されたパッケージの内部トレイの作製に適したブランクを示す。
【図６ｂ】図１、２ａ、２ｂ、４ａ、４ｂ、５ａおよび５ｂに図示されたパッケージの外方シェルの作製に適したブランクを示す。
【図６ｃ】図５ａおよび５ｂに図示された外方シェルの内部に固定された舌部の作製に適したブランクを示す。
【００１３】
図１は本発明の１つの態様による、スライドシェル式パッケージまたはパケット１の斜視図である。パッケージ１は、図２ａおよび図２ｂでそれぞれ示された外方シェル３と、図３ａおよび図３ｂでそれぞれ示された内部トレイ５を含む。紙巻きタバコなどの喫煙品は内部トレイ５に収容される。図２ａは内部トレイ５を外した外方シェル３の後面斜視図である。図２ｂは内部トレイ５を外した外方シェル３の前面斜視図である。図３ａは前面から見た内部トレイ５の斜視図である。図３ｂは後面からみた内部トレイ５の斜視図である。
【００１４】
図１、２ａおよび２ｂに示すように、この外方容器３は通常矩形であり、大きなフロントパネル２と、大きなバックパネル４と、二つの対向する小さなサイドパネル６、８とを含む。外方シェル３は、さらに底端部パネル１０を含む。外方シェル３の頂端部（底端部パネル１０の反対側）は開口しており、よって外方シェル３から内部トレイ５を引き出すことができる。
【００１５】
外方シェル３の凹部１２は、外方シェル３の開口端から下方へと大きなバックパネル４の途中まで延びている。凹部１２は大きなバックパネル４の側縁部の周りから、二つの小さなサイドパネル６、８まで延びている。凹部１２は内部トレイ５の一部を露出させ、（図１に示すように）、それにより消費者は、外方シェル３の開口端から内部トレイを掴み、これを引き出すことができる。
【００１６】
上述の態様において、凹部１２は、大きなバックパネル４の頂部（開口端部で）から底端部パネル１０の方へと下方に大きいバックパネル４の３分の１（縦）を占めている。さらに凹部は、小さなサイドパネル６，８のそれぞれおよそ３分の２（幅）までさらに延び、例えば、大きなバックパネル４から大きなフロントパネル２の方向へと延びる。当然のことながら、その他の態様において、外方シェル３の凹部１２はその他の形および／または寸法であってもよい。
【００１７】
図３ａおよび３ｂが示すように、内部トレイ５は実質的に矩形であり、基部パネル７と、二つの対向するサイドパネル９、１１と、二つの対向する端面パネル、いわゆる頂端パネル１３および底端パネル１５とを含む。延長パネル１７が各サイドパネル９、１１の底端部から延び、各サイドパネルを底端部パネル１５へ接合するために折りまげられている。
【００１８】
図１が示すように、内部トレイ５が外方シェル３の内部にある時、及びパッケージ１が閉じている時は、スライド５の基部７は、外方シェル３の大きなバックパネル４に平行に隣接しており、スライドの側壁９、１１は、外方シェル３のサイドパネル８及び６に、それぞれ平行に隣接しており、かつ、スライドの底端部パネル１５は、外方シェルの底端部パネル１０と平行に隣接している。さらに、図１で示す位置において、内部スライドの頂端パネル１３は中身がこぼれ落ちないようにパッケージ１を閉じる役割を果たす。
【００１９】
図３ａおよび３ｂに示すように、開口部１９が内部スライド３の基部パネル７に設けられている。開口部１９は底部端パネル１５と基部パネル７によって形成された縁部から基部パネル７へ延びている。開口部１９は、頂端パネル１３に向かって上方へと基部パネル７の途中（およそ三分の一の長さ）まで延びている。開口部１９は、基部パネル７の幅の実質的に中心に位置し、基部パネル７の幅のおよそ三分の二を占める（対向する側壁９と側壁１１の間）。開口部１９は舌部（後述する）と共に停止機構としての役割を果たし、パッケージ１を開く時に、内部トレイ５が外方シェル３から完全に引き抜かれることを防ぐ。
【００２０】
図示した態様において、頂端パネル１３は切り欠き部２０を含む。内部トレイ５が外方シェル３の内部に完全に収容されている場合（図１に示すように）、切り欠き部２０は、消費者にさらに便利な機能（特に内部スライド５の端パネル１３と外方シェル３の大きなフロントパネル２の間の隙間）提供するものであり、これにより内部トレイ５を掴んで外方シェル３の開口端から引き出すことができる。
【００２１】
従って図示された態様において、消費者は外方シェル３から内部トレイ５を引き出すことにより、パッケージ１を開けることができる。凹部２０を介して頂端パネル１３を引く、および／または、基部パネル７の露出領域と内部トレイ５のサイドパネル９、１１をつかむことにより、引き出すことができる。パッケージ１を閉じる時は、消費者は内部トレイ５の頂端パネル１３の外面に圧力を加えて、内部トレイ５を外方シェル３の中へと押し戻す。内部トレイ５の底壁１５が外方シェル３の底端パネル１０に接する（これによってこの方向にさらに動くことを防ぐ）時が、閉じた状態の位置である。
【００２２】
図４ａおよび図４ｂは、外方シェル３から不完全に内部トレイ５が引き出されたパッケージ１のそれぞれ前面図および後面図である。図４ａおよび図４ｂが示す程度までに外方シェル３からの内部トレイ５の引き出しを制限するために、パッケージ１は停止機構を含む。図示した位置において、内部トレイは約４０％引き出されており、例えば、図１が示すように閉じた状態から内部トレイの長さのおよそ４０％にあたる距離まで内部トレイ５が移動している。
【００２３】
図５ａおよび図５ｂは、組み立てられたパッケージ１の略式前面図である。外方シェル３は破線で示され（かつ透視化され）、外方シェル３からの内部トレイ５の動きを制御するために使用される停止機構が図示されている。図５ａはパッケージ１が閉じた状態を示し（図１と同様）、一方で、図５ｂは、パッケージを外方シェル３から不完全に内部トレイ５が引き出された状態で示している（図４ａおよび図４ｂと同様）。
【００２４】
外方シェルから内部トレイ５が動くこと制限する停止機構は、舌部２１と開口部１９間の相互作用を利用する。より明確にするために、側壁９の後ろ側あるいは底端パネル１５の後ろに隠れている舌部２１のこれらの部分は、図５ａおよび図５ｂにおいて（舌部２１の全ての形を表すために）点線で示されている。
【００２５】
図５ａおよび図５ｂが示すように、舌部２１は実質的にＴ字型であり、頭部２４と胴体部２３を含む。胴体部２３は、その一端（底端部）で外方シェル３のに装着される。特に、胴体部の底端部は、外方シェル３の大きなバックパネル４と底端パネル１０が接合することにより形成された縁部に装着される。１つの特定の態様においては、胴体部２３は図６ｃに示す端部領域２５を含み（頭部２４と反対側）、その端部領域２５は外方シェル３の底端パネル１０に対して平行に折り曲げられ（および接着され）る。
【００２６】
胴体部２３の反対の（頂）端部は、（横方向の延びた）頭部２４に接続している。胴体部２３は頭部２４より幅が狭い（幅は向い合うサイドパネル６および８の間の方向に沿って形成される）。舌部２１の胴体部２３は開口部１９を通り、頭部２４は内方シェルのトレイ内、すなわち、内部スライドシェルの基部７と外方シェル３の大きなフロントパネル２の間に配置される。一方、胴体部の底端部領域は内方シェルのトレイの外側、すなわち、内方シェルの底壁１５と外方シェル３の底端パネル１０の間に配置される。（上述のように、胴体部分２３は外方シェル３の底端パネル１０に装着される。）
【００２７】
開口部１９は胴体部２３より（僅かに）幅が広く、頭部２４よりも幅が狭くなるような寸法に形成されている。これにより、パッケージを開ける時に、外方シェル３の閉口端１０から開口端の方向へ内部トレイ５がスムーズに移動できる。パッケージを開ける時は、開口部１９は胴体部２３に沿って移動する（すなわち、胴体部２３は開口部１９を介して移動する）。しかしながら、図５ｂが示す位置に到達した時、内部トレイ５は外方シェル３からそれ以上引き出されることはない。特にこの位置において、開口部１９の底縁部（すなわち、底端パネル１５によって形成された縁部）は、頭部２４の底縁部に到達し、これと当接する。頭部２４は胴体部２３より幅が広く、また開口部１９よりも幅が広いので、内部スライド５が外方シェル３からこれ以上離れることはない。
【００２８】
当然のことながら、開口部１９の底縁部が停止機構の働きをする一方で、開口部の上縁部（すなわち、頂端パネル１３に最も近い縁部）は停止機構の一部を構成しない。よって、この上縁部の形や位置は、比較的変更しやすい。例えば、この上縁部は底縁にもっと近くまで移動してもよい（これにより、開口部１９は相対的に幅が狭いストリップあるいはスリットとなる）。当業者であれば停止機構を形成する舌部２１と開口部１９の他の様々な考えられる形やサイズを想起し得るはずである。これらのバリエーションは、とりわけ、外方シェルから内部トレイを許される最大限まで引っ張り出すことを制御するために利用できる。舌部と開口部のその他の形も利用できる。例えば、舌部は、頭部が胴体部の片側だけに横に延びたＬ字型であってもよい。あるいは、舌部は、矢じり形、半円あるいは楕円の形をした頭部を有してもよい。または、舌部は、二つのほぼ平行でお互いに離れている胴体部を含んでもよく、内部トレイのそれぞれの開口部は、これらの胴体部を、二つの胴体部を橋渡しする舌部の頭部と共に受ける。
【００２９】
図６ａは、本発明のある１つのの態様に従い、図１、２ａ、２ｂ、４ａ、４ｂ、５ａ及び図５ｂに示した内部トレイ５の作製に適したブランク５０を示す。このブランク５０は第１パネル５１を含み、この第１パネルは、その底縁部でミシン目の折り曲げ線Ｆ１０を介して第２パネル５２と接合している。この第１パネル５１は第２パネル５２に対して折り曲げられ端面パネル１３を形成する。孔５０２がミシン目の折り曲げ線を横切り、第１パネル５１と第２パネル５２の両方にまたがって設けられている。組み立てられた内部フレーム５では、第１パネル５１は折り曲げ線Ｆ１０に沿って、第２パネル５２に対して折り曲げられ、それにより、孔５０２は、内部フレーム５の頂端パネル１３の切り欠き部２０となる。折り曲げられた第１パネルと第２パネルによって、頂端パネル１３の縁部は、丸みをおびて、より頑丈になる。
【００３０】
第２パネル５２は、ミシン目の折り曲げ線Ｆ１１を介して内部トレイ５の基部パネル７を形成する第３パネル５３に接合している。第３パネル５３は、ミシン目の折り曲げ線Ｆ１２を介して内部トレイ５の底端パネル１５を形成する第４パネル５４に接合している。孔または開口部１９が前述のとおり、第３パネル５３を切り欠いて形成されている。折り曲げ線Ｆ１０、Ｆ１１およびＦ１２は互いに平行である。
【００３１】
第３パネル５３は、ミシン目の折り曲げ線Ｆ１３を介して第５パネル５５に、ミシン目の折り曲げ線Ｆ１４を介して第６パネル５６と接合している。折り曲げ線Ｆ１４は折り曲げ線Ｆ１３と平行である。第５パネル５５及び第６パネル５６は、内部トレイ５の互いに向き合ったサイドパネル９及び１１をそれぞれ形成する。
【００３２】
第７パネル５７はミシン目の折り曲げ線Ｆ１５を介して第５パネル５５と、そして第８パネル５８はミシン目の折り曲げ線Ｆ１６を介して第６パネル５６とそれぞれ接合している。第７パネル５７と第８パネル５８は各々、第２パネル５４（内部トレイ５の底端パネル１５）の内側と重ねられ、これによって内部トレイ５のサイドパネル９、１１は、内部トレイ５の底端パネル１５に装着される。
【００３３】
第９パネル５９はミシン目の折り曲げ線Ｆ１７を介して第５パネル５５と、そして第１０パネル６０はミシン目の折り曲げ線Ｆ１８を介して第６パネル５６とそれぞれ接合している。第９パネル５９と第１０パネル６０は各々、第１パネル５１と第２パネル５２の間に挟まれ（共に折り曲げらる際に）、内部トレイ５の頂端パネル１３にサイドパネル９、１１を連結する。
【００３４】
図６ｂは、本発明のある１つのの態様による図１、２ａ、２ｂ、４ａ、４ｂ、５ａ及び図５ｂに示した外方シェル３の作製に適したブランク３０を示す。このブランク３０は、外方シェル３の大きなバックパネル４を形成する第１パネル３１を含む。この第１パネル３１はその底縁部でミシン目の折り曲げ線Ｆ１を介して外方シェル３の閉口端１０を作製する第２パネル３２と接合している。この第２パネル３２はミシン目の折り曲げ線Ｆ２を介して外方シェル３の大きなフロントパネル２を形成する第３パネル３３と接合している。第３パネル３３は、その底縁部でミシン目の折り曲げ線Ｆ３を介して第４パネル３４に接合し、この第４パネルは、外方シェル３の開口端において強化パネルを形成する（組み立て工程において、第４パネルは第３パネル上に折り曲げられ、丸みをおび強化された縁部を供する）。折り曲げ線Ｆ１、Ｆ２およびＦ３は互いに平行である。
【００３５】
第一パネル３１はミシン目の折り曲げ線Ｆ４を介して第５パネル３５と接合し、ミシン目の折り曲げ線Ｆ５を介して第６パネル３６と接合している。折り曲げ線Ｆ４は折り曲げ線Ｆ５と平行であり、第５パネル３５と第６パネル３６は外方シェル３の互いに向き合ったサイドパネル８および６をそれぞれ形成する。
【００３６】
第７パネル３７はミシン目の折り曲げ線Ｆ６を介して第５パネル３５と、そして第８パネル３８はミシン目の折り曲げれ線Ｆ７を介して第６パネル３６とそれぞれ接合している。組み立てられたパッケージにおいて、第７パネル３７と第８パネル３８は各々、第２パネル３２（外方シェル３の底面パネル１０）の内側と重なり、これによって外方シェル３のサイドパネル６、８が外方シェル３の底面パネル１０（閉口端）に装着される。
【００３７】
第９パネル３９はミシン目で形成された領域Ｓ１を介して、第１０パネル４０はミシン目で形成された領域Ｓ２を介してそれぞれ第３パネル３３に接合している。組み立てられた外方シェル３において、ミシン目の領域Ｓ１およびＳ２はそれぞれ、外方シェル３の前端に丸みをおびた縁部を形成する。組み立てられた外方シェル３において、第９パネル３９は第５パネル３５と、第１０パネル４０は第６パネル３６と重なり、外方シェル３の互いに向き合ったサイドパネル８、６をそれぞれ形成する。
【００３８】
図６ｃは本発明の１つのの態様による舌部２１のためのブランクを示す。舌部２１は胴体部２３と頭部２４を含む。胴体部２３はミシン目の折り曲げ線Ｆ２０を含み、底面パネルまたは端部領域２５を形成する。組み立てられたパッケージにおいて、端部領域２５は、外方シェル３の閉じた端部パネル１０の内側と平行である（かつこれに固定される）。
【００３９】
ある一つの態様において、本明細書に記載されたパッケージは、従来のヒンジ式蓋付きパッケージと比較して相対的に薄い。例えば、外方シェルの寸法はおよそ下記のとおりである。
長さ（頂部から底部まで）：８６ｍｍ
幅（ひとつのサイドパネルからもうひとつのサイドパネルまで）：５９ｍｍ
奥行き（正面から背面まで）：１２ｍｍ
【００４０】
このように薄い、すなわち奥行きが狭いパッケージを、従来のヒンジ式蓋付きパッケージのパターンに従って作製することは、蓋を開けにくくする可能性があるので、相対的に難しい。よって、これらの寸法はスライドシェル式パッケージによく適している。
【００４１】
これまで示された態様において、外方シェル３の前縁部は湾曲しており、その一方で、外方シェル３の後縁部（および内部トレイ５のこれに適応する縁）は、鋭角である。当然のことながら、そのほかの態様においては、外方容器３および内部トレイ５の縁部は、例えば、丸みをおびる、まっすぐである、または縁取りされているなどの全ての適した形であってよい。
【００４２】
当業者は、上述の態様に様々な変形を想起し得るはずであり、本発明は薄型の紙巻きタバコパッケージに関する具体例で説明してきたが、例えば標準的な方形の角部を有する、２０ｍｍ、１０ｍｍあるいはその他のサイズのパッケージのような、紙巻きタバコおよび同様の喫煙品のための、すべての通常のパッケージやカートンの構成の態様として適用できる。本明細書で使われているパッケージはカートンの意味も含まれる。
【００４３】
停止機構もまた、パッケージの別の面に設けることができる。例えば、互いに向き合った側面９、１１が配置された基部における内部トレイに二つの開口部を形成することができ、これらの開口部は、それぞれ、二つの側壁をつなぐ頭部と開口部を介して延び、外方シェルにこの下方端の位置で装着される胴体部をもつ舌部をそれぞれ有することができる。
【００４４】
このパッケージを容易に開けるために、開口部を外方シェル３の底端パネル１０および／または大きなバックパネル４に設けてもよく、これにより、停止機構によりあらかじめ定められた限界で止るまで、使用者は手動で内部トレイを上方にスライドすることができる。
【００４５】
したがって、本発明の権利範囲は、添付の請求項およびそれに同等のものにより規定される。
【図１】
2012517384.tif 000003
【図２ａ】
2012517384.tif 000004
【図２ｂ】
2012517384.tif 000005
【図３ａ】
2012517384.tif 000006
【図３ｂ】
2012517384.tif 000007
【図４ａ】
2012517384.tif 000008
【図４ｂ】
2012517384.tif 000009
【図５ａ】
2012517384.tif 000010
【図５ｂ】
2012517384.tif 000011
【図６ａ】
2012517384.tif 000012
【図６ｂ】
2012517384.tif 000013
【図６ｃ】
2012517384.tif 000014
【手続補正書】
【提出日】平成21年9月10日(2009.9.10)
【手続補正１】
【補正対象書類名】明細書
【補正対象項目名】０００５
【補正方法】変更
【補正の内容】
【０００５】
喫煙品用パッケージは外方シェルを含む。外方シェルは互いに対向する大きなフロントパネル及び大きなバックパネル、二つの互いに対向する小さなサイドパネル、ならびに互いに対向する第１端部と第２端部を含む。第１端部は開いており、第２端部は閉じている。パッケージは開口部が設けられた内部トレイをさらに含む。内部トレイは外方シェル内に配置され、内部トレイは外方シェルの第１開口端から抜け出るように外方シェルの第１端部および第２端部の間の長手方向軸に沿って摺動可能である。このパッケージはさらに舌部を含み、舌部は内部トレイの内部に配置され、前記開口部より幅が広い頭部と、外方シェルの第２端部にあるいはその近くで外方シェルの第２端部に接着された胴体部とを有する。胴体部は開口部を通って延び、頭部と接合している。開口部と舌部は停止機構となり、内部トレイが外方シェルの第１端部から、予め定められた限度を越えて引き出されないようにするものである。
【手続補正２】
【補正対象書類名】特許請求の範囲
【補正対象項目名】全文
【補正方法】変更
【補正の内容】
【特許請求の範囲】
【請求項１】
互いに対向する大きなフロントパネルと大きなバックパネルと、
二つの互いに対向する小さなサイドパネルと、
対向する開口した第１端部と閉じた第２端部とを含む外方シェルと、
外方シェル内に配置され、外方シェルの第１開口端部から抜け出るように、外方シェルの第１端部および第２端部の間の長手方向軸に沿って摺動可能であり、内部に開口部を有する内部トレイと、
前記開口部より幅が広い頭部と、前記開口部を通って一端が外方シェルに装着された胴体部を有する舌部とを含み、
前記開口部と舌部が、内部トレイが外方シェルの第１端部から、あらかじめ定められた制限を越えて引き出されることを防ぐ停止機構を供することを特徴とする喫煙品用パッケージ。  
【請求項２】
前記内部トレイが、外方シェルの大きなバックパネルと隣接しかつ平行な基部を含み、前記開口部が前記基部内に形成されていることを特徴とする請求項１記載のパッケージ。
【請求項３】
前記舌部が実質的にＴ字型であることを特徴とする請求項１または２記載のパッケージ。
【請求項４】
前記胴体部が外方シェルの第２端部に対して平行に折り曲げられ、この第２端部に接着されている端部領域を含むことを特徴とする請求項1乃至３いずれか１項記載のパッケージ。
【請求項５】
前記開口部が外方シェルの互いに向かいあう小さなサイドパネルの間の中央に配置されていることを特徴とする請求項１乃至４いずれか１項記載のパッケージ。
【請求項６】
パッケージが閉じている状態で、前記開口部が、前記外方シェルの第２端部に隣接している前記内部トレイの基部の底縁部から延びていることを特徴とする請求項１乃至５いずれか１項記載のパッケージ。
【請求項７】
前記外方シェルは外方シェルの開口した第１端部から下方へと大きなバックパネル４の途中まで延びている凹部を含むことを特徴とする請求項１乃至６いずれか1項記載のパッケージ。
【請求項８】
前記外方シェルの凹部は大きなバックパネルの幅を超えて、互いに向きあっている小さなサイドパネルまで延びていることを特徴とする請求項７記載のパッケージ。
【請求項９】
喫煙品を収容する請求項１乃至８いずれか１項記載のパッケージ。
【請求項１０】
請求項１乃至９いずれか１項記載のパッケージを形成するための一つ以上のブランクセット。
【請求項１１】
添付の図面を参照し本明細書中で説明した喫煙品用パッケージ。
【請求項１２】
図６ａ、図６ｂおよび図６ｃを参照し本明細書中で説明したブランクセット。
【請求項１３】
互いに対向する大きなフロントパネルと大きなバックパネルとを供するために折り曲げ線に沿って折り曲げ可能なパネル部と、二つの互いに対向する小さなサイドパネル及び対向する開口した第１端部と閉じた第２端部を供するために折り曲げ線で折り曲げ可能なパネル部を含む、外方シェルを形成する折り曲げ可能な第１のフラットブランクと、
外方シェルの第１端部と第２端部の間で外方シェルの長手方向軸に沿って摺動可能な内部トレイを供するために折り曲げ線に沿って折り曲げ可能で、かつ内部に開口部を有する第２のフラットブランクと、
前記開口部より幅が広い頭部と、外方シェルと接合し第２ブランクの開口部内で摺動可能な幅を持つ胴体部を有する舌部を形成する第３ブランクと
を含み、前記開口部と舌部が、内部トレイが外方シェルの第１端部から、あらかじめ定められた制限を越えて引き出されることを防ぐ停止機構を供することを特徴とするパッケージを形成するためのブランク。
【請求項１４】
請求項１記載のパッケージを形成するために請求項１３記載のブランクを折り曲げることによってパッケージを製造する方法。
【国際調査報告】
2012517384.tif 000015
2012517384.tif 000016
2012517384.tif 000017
2012517384.tif 000018
2012517384.tif 000019